(57)【要約】      （修正有）【課題】様々なサイズの空容器をそのまま容易かつ確実に投入できるようにし、かつ収容できる空容器の本数を増やすとともに、ゴミ置場の全体の美観、更には住宅地の景観を高める資源回収袋用保持器を提供する。【解決手段】内方に挿入した資源回収袋Ｓの上端口Ｓｍを外方に折り返した際に、当該資源回収袋Ｓの上端部分Ｓｕにより覆われるように形成したリング状の袋保持部２と、最下端位置に配したベース部３ｂ及びこのベース部３ｂから上方に起立し、かつ上端位置に袋保持部２を支持するポスト部３ｐを有する支持体部３と、資源回収袋Ｓの上端口Ｓｍ周縁に沿って設けた口閉紐部Ｓｒを固定する紐固定部４とを備え、支持体部３と袋保持部２をヒンジ機構１４により折畳み可能に構成し、かつベース部３ｂとポスト部３ｐをヒンジ機構２１により折畳み可能に構成するとともに、ポスト部３ｐを伸縮可能に構成する。【選択図】図１
0003187589.tif 000002
【実用新案登録請求の範囲】
【請求項１】
資源回収袋の上端口を開いた状態で当該資源回収袋を保持する資源回収袋用保持器であって、内方に挿入した前記資源回収袋の上端口を外方に折り返した際に、当該資源回収袋の上端部分により覆われるように形成したリング状の袋保持部と、最下端位置に配したフレーム構成したベース部及びこのベース部から上方に起立し、かつ上端位置に前記袋保持部を支持するポスト部を有する支持体部と、前記資源回収袋の上端口周縁に沿って設けた口閉紐部を固定する紐固定部とを備え、前記支持体部と前記袋保持部をヒンジ機構により折畳み可能に構成し、かつ前記ベース部と前記ポスト部をヒンジ機構により折畳み可能に構成するとともに、前記ポスト部を、外筒部とこの外筒部に挿入した内筒部により伸縮可能に構成してなることを特徴とする資源回収袋用保持器。
【請求項２】
前記紐固定部は、差し込んだ前記口閉紐部を係止する一又は二以上の切欠係止部を有する係止プレート部を備えることを特徴とする請求項１記載の資源回収袋用保持器。
【考案の詳細な説明】
【技術分野】
【０００１】
本考案は、資源回収袋の上端口を開いた状態で当該資源回収袋を保持する資源回収袋用保持器に関する。
【背景技術】
【０００２】
一般に、ペットボトルや空缶等の空容器を回収することは資源のリサイクルを図る観点から重要であり、ペットボトル飲料や缶飲料等を販売する販売店や自動販売機の近くには回収ボックスが設置されている（特許文献１参照）。一方、この種の回収ボックスは、ある程度の設置スペースが必要になるため、地域のゴミ置場のように、スペースが限られた場所には、自治体が回収するための資源回収袋が備えられるとともに、通常、分別回収するための複数の資源回収袋が備えられる。
【０００３】
従来、この種の資源回収袋としては、特許文献２で開示される網袋が知られている。この網袋（資源回収袋）は、上端口周縁に沿って設けた口閉紐部を有し、ゴミ置場等に設置する際は、この口閉紐部を所定高さに存在するステー等に括り付けるなどにより設置している。
【先行技術文献】
【特許文献】
【０００４】
【特許文献１】特開２０１０−２４７９５０号公報
【特許文献２】実用新案登録第３０４６４０１号公報
【考案の概要】
【考案が解決しようとする課題】
【０００５】
しかし、上述した従来の網袋（資源回収袋）は、次のような問題点があった。
【０００６】
第一に、網袋は単に吊り下げた状態に設置されるため、上端口は、横方向又は斜め上方向を向いた状態となり、実質的に閉じた状態になる。したがって、特に、ペットボトル等の大きいサイズの空容器は投入しにくいのみならず、利用者は上端口を手で開く必要があるなど、面倒な操作を強いられる。しかも、この際、網袋が動いた場合、収容された空缶等も袋内で崩れ、残留液が飛び散る虞れがあるなど、衛生上も好ましくない。
【０００７】
第二に、網袋は不安定な状態に置かれることも多いため、収容できるペットボトル等の本数が制限されやすい。したがって、できるだけ多くの本数を収容させる観点からは十分であるとは言えない。しかも、収容した本数が増えるに伴い、網袋の上端口から外部に溢れ出やすい不具合もある。
【０００８】
第三に、形状的にランダムになる複数の資源回収袋が設置された場合、景観上、乱雑感が否めない。したがって、ゴミ置場全体の美観を損ないやすいとともに、住宅地にとっても景観上好ましいものではない。
【０００９】
本考案は、このような背景技術に存在する課題を解決した資源回収袋用保持器の提供を目的とするものである。
【課題を解決するための手段】
【００１０】
本考案は、上述した課題を解決するため、資源回収袋Ｓの上端口Ｓｍを開いた状態で当該資源回収袋Ｓを保持する資源回収袋用保持器１であって、内方に挿入した資源回収袋Ｓの上端口Ｓｍを外方に折り返した際に、当該資源回収袋Ｓの上端部分Ｓｕにより覆われるように形成したリング状の袋保持部２と、最下端位置に配したフレーム構成したベース部３ｂ及びこのベース部３ｂから上方に起立し、かつ上端位置に袋保持部２を支持するポスト部３ｐを有する支持体部３と、資源回収袋Ｓの上端口Ｓｍ周縁に沿って設けた口閉紐部Ｓｒを固定する紐固定部４とを備え、支持体部３と袋保持部２をヒンジ機構１４により折畳み可能に構成し、かつベース部３ｂとポスト部３ｐをヒンジ機構２１により折畳み可能に構成するとともに、ポスト部３ｐを、外筒部３ｐｏとこの外筒部３ｐｏに挿入した内筒部３ｐｉにより伸縮可能に構成してなることを特徴とする。
【００１１】
この場合、考案の好適な態様により、紐固定部４には、差し込んだ口閉紐部Ｓｒを係止する一又は二以上の切欠係止部４ｐｓ，４ｐｓを有する係止プレート部４ｐを用いることができる。
【考案の効果】
【００１２】
このような構成を有する本考案に係る資源回収袋用保持器１によれば、次のような顕著な効果を奏する。
【００１３】
（１）  資源回収袋Ｓは、上端口Ｓｍが開いた状態で、水平かつ所定の高さに保持されるため、利用者は、ペットボトル等の大きいサイズをはじめ、様々なサイズの空容器Ｃ…をそのまま容易かつ確実に投入することができる。しかも、利用者が上端口Ｓｍを手で開くなどの面倒な操作が一切不要になるため、資源回収袋Ｓ内の他の空容器Ｃ…が崩れることにより内部の残留液が飛び散るなどの虞れもなく、周辺を衛生的に維持できる。
【００１４】
（２）  資源回収袋Ｓは、起立した状態で安定な形状に保持されるため、空容器Ｃ…を収容できる本数を増やすことができる。しかも、収容した本数が増えた場合であっても、資源回収袋Ｓの上端口Ｓｍから外部に溢れ出てしまうなどの不具合も生じにくい。
【００１５】
（３）  起立し、かつ安定な形状に保持される複数の資源回収袋Ｓ…を、例えば、横方向に配列させて設置できるため、乱雑感により景観を損なう不具合を回避できる。したがって、ゴミ置場全体の美観、さらには住宅地の景観向上に寄与できる。
【００１６】
（４）  支持体部３と袋保持部２は、折畳み可能に構成したため、運搬性及び保管性を高めることができる。
【００１７】
（５）  支持体部３は、最下端位置に配したフレーム構成のベース部３ｂと、このベース部３ｂから上方に起立し、かつ上端位置に袋保持部２を支持するポスト部３ｐとにより構成したため、支持体部３を簡易な構成により容易に製作できるとともに、少ない部品点数により低コストに実施することができる。
【００１８】
（６）  ポスト部３ｐは、外筒部３ｐｏとこの外筒部３ｐｏに挿入した内筒部３ｐｉにより伸縮可能に構成したため、ポスト部３ｐの高さ調整が可能となり、例えば、回収量が少ない地域では高さを低く設定するなど、使用時の使い勝手及び利便性を高めることができる。
【００１９】
（７）  ベース部３ｂとポスト部３ｐは、折畳み可能に構成したため、運搬性及び保管性を高めることができるとともに、折畳み可能に構成した支持体部３と袋保持部２に組合わせることにより、更なる運搬性及び保管性の向上に寄与できる。
【００２０】
（８）  好適な態様により、紐固定部４を、差し込んだ口閉紐部Ｓｒを係止する一又は二以上の切欠係止部ｐｓ，４ｐｓを有する係止プレート部ｐを用いれば、紐固定部４をワンタッチにより容易に固定できるとともに、離脱も容易に行うことができる。
【図面の簡単な説明】
【００２１】
【図１】本考案の好適実施形態に係る資源回収袋用保持器の左側面図、
【図２】同資源回収袋用保持器の斜視図、
【図３】同資源回収袋用保持器で使用する資源回収袋の斜視図、
【図４】同資源回収袋用保持器の平面図、
【図５】同資源回収袋用保持器の一部を省略した正面図、
【図６】同資源回収袋用保持器の一部を省略した背面図、
【図７】同資源回収袋用保持器を折畳んだ状態の右側面図、
【図８】参考実施形態に係る資源回収袋用保持器の構成及び使用方法を説明するための機能説明図、
【考案を実施するための形態】
【００２２】
次に、本考案に係る好適実施形態を挙げ、図面に基づき詳細に説明する。
【００２３】
まず、本実施形態に係る資源回収袋用保持器１の構成について、図１〜図７を参照して説明する。
【００２４】
資源回収袋用保持器１は、図１に示すように、大別して、袋保持部２，支持体部３及び紐固定部４を備える。袋保持部２は、図４に示すように、例えば、丸棒材を円形に湾曲させたリング状の袋保持本体部２ａと、この袋保持本体部２ａの一端に固定した直方体状の基部２ｂを備える。この場合、袋保持本体部２ａの大きさは、図１に示すように、内方に挿入した資源回収袋Ｓの上端口Ｓｍを外方に折り返した際に、当該資源回収袋Ｓの上端部分Ｓｕにより覆われる大きさを選定する。
【００２５】
なお、資源回収袋用保持器１に使用する資源回収袋Ｓを図３に示す。この資源回収袋Ｓは、網材Ｎを用いることにより全体を縦長長方形状に形成するとともに、上端口Ｓｍが開放される袋状に形成する。また、資源回収袋Ｓの上端口Ｓｍには、口閉紐部Ｓｒを通すことができるトンネル状の紐通路部Ｓｔを周縁全周に沿って設け、この紐通路部Ｓｔに一本の口閉紐部Ｓｒを通す。そして、口閉紐部Ｓｒは、両端側Ｓｒａ，Ｓｒｂを紐通路部Ｓｔの所定位置に設けた開口を介して所定長さだけ外部に導出させ、両端側を結んでループ状に接続する。符号Ｓｘは分別回収を行う際の回収種別を表示したラベル部を示す。これにより、口閉紐部Ｓｒの両端側Ｓｒａ，Ｓｒｂを引張ることにより紐通路部Ｓｔから引き出し、紐通路部Ｓｔを周方向に縮ませれば、上端口Ｓｍを閉じることができる。
【００２６】
一方、支持体部３は、上述した袋保持部２を水平かつ所定の高さに支持する機能を備える。したがって、支持体部３は、最下端位置に配したフレーム構成のベース部３ｂと、このベース部３ｂから上方に起立し、かつ上端位置に袋保持部２を支持するポスト部３ｐとにより構成する。支持体部３をこのように構成すれば、支持体部３を簡易な構成により容易に製作できるとともに、少ない部品点数により低コストに実施できる利点がある。
【００２７】
この場合、ベース部３ｂは、図４に示すように、四本のフレーム材ｆ…を組合わせて矩形枠状に構成する。さらに、図１及び図５に示すように、ベース部３ｂにおける底面四隅にはそれぞれ脚部１１…を下方へ突出させて設ける。各脚部１１…はベース部３ｂに対して螺着するネジ部を有し、回すことにより突出長を設定（調整）できる。したがって、設置面が凹凸面であっても各脚部１１…の突出長を調整することにより資源回収袋用保持器１をグラつかせることなく安定に設置できる。
【００２８】
また、ポスト部３ｐは、外筒部３ｐｏとこの外筒部３ｐｏに挿入した内筒部３ｐｉにより伸縮可能に構成する。この際、図６に示すように、外筒部３ｐｏの所定位置に固定ネジ１２を螺合するとともに、内筒部３ｐｉには、複数のネジ孔１３ａ，１３ｂ，１３ｃ…を長手方向に沿って所定間隔置きに設ける。これにより、固定ネジ１２を緩めれば、ポスト部３ｐを伸縮させることができるとともに、固定ネジ１２を、選択した所定のネジ孔１３ａ…に螺着し、締め付けて固定すれば、ポスト部３ｐの長さ（高さ）の調整を行うことができる。ポスト部３ｐをこのように構成すれば、ポスト部３ｐの高さ調整を可能にできるため、例えば、回収量が少ない地域では高さを低く設定するなど、使用時の使い勝手及び利便性を高めることができる利点がある。
【００２９】
他方、ベース部３ｂにおける後部のフレーム材ｆ（ｆｒ）の上面中央には、図１に示すように、外筒部３ｐｏの下端を載せ、外筒部３ｐｏの前面と後部のフレーム材ｆｒの前面間を蝶番により結合したヒンジ機構１４を設ける。これにより、外筒部３ｐｏ（ポスト部３ｐ）を、図１に示すように、上方へ起立させた使用位置Ｘｕと、この位置から図７に示すように、ベース部３ｂ側へ略９０゜回動変位させた折畳位置Ｘｃに位置させることができる。また、図６に示すように、外筒部３ｐｏの後面と後部のフレーム材ｆｒの後面間にはストッパ機構１５を設ける。例示のストッパ機構１５は、ストッパプレート１６の一端を外筒部３ｐｏの後面に支軸１７を介して回動自在に取付けるとともに、後部のフレーム材ｆｒの後面に締付ネジ１８を螺着し、ストッパプレート１６の他端側に形成したＵ形の切欠凹部１６ｓを締付ネジ１８に係合可能に構成する。これにより、ストッパプレート１６の切欠凹部１６ｓを締付ネジ１８に係合させ、締付ネジ１８を締付ければ、外筒部３ｐｏを起立させた使用位置Ｘｕに固定できるとともに、締付ネジ１８を緩め、ストッパプレート１６の切欠凹部１６ｓを締付ネジ１８から離脱させれば、外筒部３ｐｏを折畳位置Ｘｃに傾倒させて折畳むことができる。
【００３０】
さらに、内筒部３ｐｉ（ポスト部３ｐ）の上端により袋保持部２を支持する。この場合、図１に示すように、基部２ｂの後面と内筒部３ｐｉの上端面間を蝶番により結合したヒンジ機構２１を設ける。これにより、袋保持部２を図１に示すように水平に位置させる使用位置Ｙｕと、この位置から図７に示すようにポスト部３ｐ側へ略９０゜回動変位させた折畳位置Ｙｃに位置させることができる。また、図６及び図７に示すように、内筒部３ｐｉの一方の側面（例示は右面）の上端付近と基部２ｂの一方の側面（右面）間にはストッパ機構２２を設ける。例示のストッパ機構２２は、ストッパプレート２３の一端を内筒部３ｐｉの右面に支軸２４を介して回動自在に取付けるとともに、基部２ｂの右面に締付ネジ２５を螺着し、ストッパプレート２３の他端側に形成したＵ形の切欠凹部２３ｓを締付ネジ２５に係合可能に構成する。これにより、ストッパプレート２３の切欠凹部２３ｓを締付ネジ２５に係合させ、締付ネジ２５を締付ければ、袋保持部２を水平に位置させた使用位置Ｙｕに固定できるとともに、締付ネジ２５を緩め、ストッパプレート２３の切欠凹部２３ｓを締付ネジ２５から離脱させれば、袋保持部２を折畳位置Ｙｃに位置させて折畳むことができる。
【００３１】
一方、紐固定部４は、係止プレート部４ｐを内筒部３ｐｉの他方の側面（例示は左面）の上端付近に固定して構成する。この場合、紐固定部４は、図６に示すように、差し込んだ口閉紐部Ｓｒを係止する二つの切欠係止部４ｐｓ，４ｐｓを有し、この切欠係止部４ｐｓ…に口閉紐部Ｓｒを差し込むことにより係止プレート部４ｐに固定できる。したがって、切欠係止部４ｐｓの幅寸法，深さ寸法、更に全体形状は、口閉紐部Ｓｒを容易に差込むことができるとともに、差込んだ際には、係止して容易に離脱しないように選定する。このように、紐固定部４を、差し込んだ口閉紐部Ｓｒを係止する一又は二以上の切欠係止部ｐｓ，４ｐｓを有する係止プレート部ｐを用いれば、紐固定部４をワンタッチにより容易に固定できるとともに、離脱も容易に行うことができる。
【００３２】
次に、本実施形態に係る資源回収袋用保持器１の使用方法及び機能について、図１〜図７を参照して説明する。
【００３３】
本実施形態に係る資源回収袋用保持器１は、使用しない場合、折畳んで保管することができる。図７は、最もコンパクトに折畳んだ状態を示す。以下、使用状態にある図１に示す状態から折畳む場合について説明する。
【００３４】
折畳む際には、まず、固定ネジ１２を緩め、外筒部３ｐｏと内筒部３ｐｉ間の固定を解除することにより内筒部３ｐｉを外筒部３ｐｏに押込み、支持体部３を最短長さに短縮する。次いで、締付ネジ２５を緩め、ストッパプレート２３の切欠凹部２３ｓを締付ネジ２５から離脱させ、袋保持部２を支持体部３側へ略９０゜回動変位させる。これにより、袋保持部２を折畳み、折畳位置Ｙｃに位置させることができる。さらに、締付ネジ１８を緩め、ストッパプレート１６の切欠凹部１６ｓを締付ネジ１８から離脱させ、ベース部３ｂをポスト部３ｐ側へ略９０゜回動変位させる。これにより、ポスト部３ｐを折畳むことができ、折畳位置Ｘｃに位置させることができる。以上の操作により、資源回収袋用保持器１を、図７に示す最もコンパクトな状態に折畳むことができる。
【００３５】
このように、資源回収袋用保持器１は、支持体部３と袋保持部２を折畳み可能に構成したため、運搬性及び保管性を高めることができる。また、ベース部３ｂとポスト部３ｐも折畳み可能に構成したため、運搬性及び保管性を高めることができるとともに、特に、折畳み可能な支持体部３と袋保持部２に対して組合わせれば、更なる運搬性及び保管性の向上に寄与できる。
【００３６】
他方、資源回収袋用保持器１を使用する際には、折畳むときの手順とは反対の手順で操作を行い、次のようにセッティングすることができる。
【００３７】
まず、ベース部３ｂに対してポスト部３ｐを起立させる。即ち、ポスト部３ｐを略９０゜回動変位させ、図１に示す使用位置Ｘｕに位置させる。そして、ストッパプレート１６の切欠凹部１６ｓを締付ネジ１８に係合させ、係合させた状態で締付ネジ１８を締付け、ストッパプレート１６の切欠凹部１６ｓをベース部３ｂに固定する。これにより、ポスト部３ｐをベース部３ｂから直角方向上方に起立した使用位置Ｘｕに固定することができる。次いで、袋保持部２を略９０゜回動変位させ、図１に示す水平状態となる使用位置Ｙｕに位置させる。そして、ストッパプレート２３の切欠凹部２３ｓを締付ネジ２５に係合させ、係合させた状態で締付ネジ２５を締付け、ストッパプレート２３の切欠凹部２３ｓを基部２ｂに固定する。これにより、袋保持部２を支持体部３ｐから直角方向水平に突出した使用位置Ｙｕに固定することができる。
【００３８】
この状態で、資源回収袋用保持器１を必要な設置場所、例えば、地域のゴミ置場等に設置することができる。設置したなら各脚部１１…を回し、ベース部３ｂに対する突出長を調整して、四つの脚部１１…を設置面に当接させる。図６において、仮想線で示す脚部１１…が、実線で示す脚部１１…の位置から突出させた状態を示している。これにより、
設置面が凹凸面であっても各脚部１１…の突出長を調整することにより、資源回収袋用保持器１を、グラつかせることなく安定に設置できる。
【００３９】
また、図１に示すように、資源回収袋Ｓを装着する。この場合、資源回収袋Ｓを袋保持部２の内方に挿入し、上端口Ｓｍを開いた状態で、当該上端口Ｓｍを外方に折り返すことにより、当該資源回収袋Ｓの上端部分Ｓｕにより袋保持部２を覆う。この後、口閉紐部Ｓｒの両端側Ｓｒａ，Ｓｒｂを引張ることにより紐通路部Ｓｔからやや引き出すことにより、紐通路部Ｓｔを周方向にやや縮ませる。これにより、口閉紐部Ｓｒを含む紐通路部Ｓｔの径が袋保持本体部２ａの径よりもやや小さくなるため、上端口Ｓｍが袋保持本体部２ａから離脱するのを阻止することができる。
【００４０】
この後、図４に示すように、口閉紐部Ｓｒの両端側Ｓｒａ，Ｓｒｂを、係止プレート部４ｐに形成した切欠係止部４ｐｓ，４ｐｓに差し込んで係止する。これにより、口閉紐部Ｓｒは緩むことなく保持され、上端口Ｓｍが袋保持本体部２ａから離脱するのが阻止される。このように、紐固定部４はワンタッチで容易に固定できるとともに、離脱も容易に行うことができる。なお、引き出した両端側Ｓｒａ，Ｓｒｂが長すぎる場合には、図４に示すように、必要により基部２ｂ等に巻き付けた後、切欠係止部４ｐｓ，４ｐｓに係止させればよい。
【００４１】
資源回収袋Ｓの装着が終了したなら、固定ネジ１２を緩め、内筒部３ｐｉを外筒部３ｐｏから引出すことにより上端口Ｓｍの高さを最適な高さに設定する。そして、設定したなら固定ネジ１２を回して内筒部３ｐｉと外筒部３ｐｏを固定する。これにより、使用状態にセッティングすることができる。
【００４２】
よって、このような資源回収袋用保持器１によれば、資源回収袋Ｓは、上端口Ｓｍが開いた状態で、水平かつ所定の高さに保持されるため、利用者は、ペットボトル等の大きいサイズをはじめ、様々なサイズの空容器Ｃ…をそのまま容易かつ確実に投入することができる。しかも、利用者が上端口Ｓｍを手で開くなどの面倒な操作が一切不要になるため、資源回収袋Ｓ内の他の空容器Ｃ…が崩れることにより内部の残留液が飛び散るなどの虞れもなく、周辺を衛生的に維持できる。また、資源回収袋Ｓは、起立した状態で安定な形状に保持されるため、空容器Ｃ…を収容できる本数を増やすことができる。しかも、収容した本数が増えた場合であっても、資源回収袋Ｓの上端口Ｓｍから外部に溢れ出てしまうなどの不具合も生じにくい。しかも、起立し、かつ安定な形状に保持される複数の資源回収袋Ｓ…を、例えば、横方向に配列させて設置できるため、乱雑感により景観を損なう不具合を回避できる。したがって、ゴミ置場全体の美観、さらには住宅地の景観向上に寄与できる。
【００４３】
次に、参考のための参考実施形態に係る資源回収袋用保持器１について、図８を参照して説明する。
【００４４】
図８に示す資源回収袋用保持器１は、この資源回収袋用保持器１を分解可能に構成したものである。即ち、図１〜図７に示した資源回収袋用保持器１は、袋保持部２と支持体部３（ポスト部３ｐ），及びポスト部３ｐとベース部３ｂを、それぞれ折畳み可能に構成したものであるが、図８に示す資源回収袋用保持器１は、袋保持部２と支持体部３（ポスト部３ｐ）、及びポスト部３ｐとベース部３ｂを、それぞれ着脱可能に構成したものである。このため、ポスト部３ｐは、例えば、角パイプにより形成するとともに、袋保持部２における基部２ｂの底面には下方へ突出した断面角形の挿入棒３１を設け、この挿入棒３１をポスト部３ｐに対して上端から挿入できるようにした。また、ベース部３ｂの後部のフレームｆ（ｆｒ）には、例えば、角パイプにより形成した支持筒３２を上方に起立させて固定し、ポスト部３ｐを支持筒３２に対して上端から挿入できるようにした。
【００４５】
したがって、図８に示す資源回収袋用保持器１によれば、この資源回収袋用保持器１は、袋保持部２，ポスト部３ｐ，ベース部３ｂの三つの部品に分解することができる。即ち、袋保持部２とポスト部３ｐ（支持体部３）を着脱させることができるとともに、ベース部３ｂとポスト部３ｐも着脱させることができる。これにより、図１〜図７に示した実施形態と同様に運搬性及び保管性を高めることができる。なお、図８中、矢印Ｆｒ，Ｆｐは袋保持部２及びポスト部３ｐの装着時（組付時）の挿入方向を示している。
【００４６】
一方、図８に示す資源回収袋用保持器１によれば、袋保持部２をポスト部３ｐに対して着脱可能なため、他のアタッチメント４１を用意し、このアタッチメント４１に袋保持部２を装着することも可能となる。例示のアタッチメント４１は、例えば、角パイプにより形成した所定長さの支持筒３ｐｓを用いている。この際、支持筒３ｐｓの長さは、挿入棒３１の長さと同程度に選定できる。また、この支持筒３ｐｓには、例えば、ゴミ置場等に設けられた柱Ｍに、取付可能（着脱可能）なクリップ部４２を一体に備える。クリップ部４２は、支持筒３ｐｓの外面に固定した一方の挟片部４３ｐと、この挟片部４３ｐの付根部に対して回動支持部４４を介して取付けた他方の挟片部４３ｑを有するとともに、挟片部４３ｐの先端部と挟片部４３ｑの先端部間に架設したボルトナット４５を有する。これにより、挟片部４３ｐと４３ｑ間で柱Ｍを挟み、ボルトナット４５で締付けることにより支持筒３ｐｓを柱Ｍに取付けることができる。そして、支持筒３ｐｓに袋保持部２の挿入棒３１を挿入すれば、袋保持部２はアタッチメント４１により支持されることになる。この際、アタッチメント４１の取付位置を、図１に示した実施形態と同じ高さに選定すれば、図１に示した実施形態と同様に、資源回収袋Ｓを保持し、かつ利用することができる。なお、図８中、矢印Ｆｅはアタッチメント４１に対する装着時（組付時）の挿入方向を示している。
【００４７】
以上、好適実施形態について詳細に説明したが、本考案は、このような実施形態に限定されるものではなく、細部の構成，形状，素材，数量，数値等において、本考案の要旨を逸脱しない範囲で、任意に変更，追加，削除することができる。例えば、紐固定部４は、差し込んだ口閉紐部Ｓｒを係止する一又は二以上の切欠係止部４ｐｓ，４ｐｓを有する係止プレート部４ｐを用いた場合を例示したが、口閉紐部Ｓｒを固定できるものであれば、他の手段により置換可能である。
【産業上の利用可能性】
【００４８】
本考案に係る資源回収袋用保持器は、ゴミ置場等に設置することにより各種資源回収袋を保持する際に利用できる。なお、資源回収袋は網袋や樹脂シートを用いた袋など各種袋を適用できる。また、資源としては、例示した空容器をはじめ、新聞紙等の紙，金属，プラスチック等の各種資源を適用できる。
【符号の説明】
【００４９】
１：資源回収袋用保持器，２：袋保持部，３：支持体部，３ｂ：ベース部，３ｐ：ポスト部，３ｐｏ：外筒部，３ｐｉ：内筒部，４：紐固定部，４ｐｓ：切欠係止部，４ｐ：係止プレート部，１４：ヒンジ機構，２１：ヒンジ機構，Ｓ：資源回収袋，Ｓｍ：資源回収袋の上端口，Ｓｕ：資源回収袋の上端部分，Ｓｒ：口閉紐部
【図１】
0003187589.tif 000003
【図２】
0003187589.tif 000004
【図３】
0003187589.tif 000005
【図４】
0003187589.tif 000006
【図５】
0003187589.tif 000007
【図６】
0003187589.tif 000008
【図７】
0003187589.tif 000009
【図８】
0003187589.tif 000010